(57)【要約】【課題】商品の台座への初期位置決定時において、商品を台座上でデザイン性に富んだ様々な配置にレイアウトすることができ、台座に対して各商品が初期位置決定されたところから位置ズレせず、台座の材料の選択範囲が広い粘着層を有する商品を提供すること。【解決手段】シート状の台座１上に、第１粘着層２、剥離シート３、第２粘着層４、商品５の順序で積層一体化された積層体Ｓを、前記第１粘着層２を介して粘着して成るものであって、前記商品５と台座１とは、第１粘着層２と剥離シート３間、又は剥離シート３と第２粘着層４間のみで取り外し可能となっている。第１粘着層２の粘着力は第２粘着層４のそれよりも強く設定してある。第２粘着層４の粘着力は第１粘着層２のそれよりも強く設定してある。【選択図】  図２
2005076647.tif 000002
【特許請求の範囲】
【請求項１】
シート状の台座上に、第１粘着層、剥離シート、第２粘着層、商品の順序で積層一体化された積層体を、前記第１粘着層を介して粘着して成るものであって、前記商品と台座とは、第１粘着層と剥離シート間、又は剥離シートと第２粘着層間のみで取り外し可能となっていることを特徴とする粘着層を有する商品。
【請求項２】
第１粘着層の粘着力は第２粘着層のそれよりも強く設定してあることを特徴とする請求項１記載の粘着層を有する商品。
【請求項３】
第２粘着層の粘着力は第１粘着層のそれよりも強く設定してあることを特徴とする請求項１記載の粘着層を有する商品。
【発明の詳細な説明】
【０００１】
【発明の属する技術分野】
この発明は、粘着層を有する商品に関するものである。なお、この発明はスノーボードの滑り止めパッド、フック、家具滑り等の商品に採用できる。
【０００２】
【従来の技術】
粘着層を有する商品としては、例えば、スノーボードの滑り止めパッドがあり、このものではパッドの底面に粘着層が設けられていると共に、この粘着層を覆うべく剥離シートを設けてある。
【０００３】
上記粘着層を有する滑り止めパッドは、一般的には、台座（紙、樹脂や金属でできたシート状の台座）上にパッドの形状に合わせた複数の凹部を有するブリスターパックにより複数個が位置決めされるようにして配置されている（例えば、特許文献１、２。）。
【０００４】
したがって、台座の姿勢にかかわらずパッドは位置ズレせず、ブリスターパックを台紙から外してパッドを取り出し、剥離シートを捲り取るだけでスノーボートに貼着することができる。
【０００５】
しかしながら、上記の形態のものでは、以下に示すような問題があった。
【０００６】
パッドの形状に合わせた複数の凹部を有するブリスターパックによりパッドを位置決めしているから配置に自由性がなく、パッドをデザイン性に富んだ様々な配置（例えば数字、模様やマークその他を示す配置）にレイアウトすることができなかった。
【０００７】
また、台座からブリスターパックを外すと、全てのパッドが位置決めされなくなり、バラバラになってしまう。
【０００８】
上記問題を解決する手段としては例えば、複数の粘着層を有するパッドを共通剥離シートに貼着し、これを台座とブリスターパックで包み込んだ形態のものがある。
【０００９】
しかしながら、この形態では、パッドを位置決めした状態で粘着させる実質的な台座は剥離シートに限られてしまい、台座を構成する材料の選択自由は、制限されてしまう。
【００１０】
【特許文献１】
登録実用新案第３０４１７６１号公報
【特許文献２】
特開平２００３−１４２０５６号公報
なお、上記したものはスノーボードの滑り止めを商品としたものであるが、異なる商品の場合でも同様の問題を生じることが明らかである。
【００１１】
【発明が解決しようとする課題】
そこで、この発明では、商品の台座への初期位置決定時において、商品を台座上でデザイン性に富んだ様々な配置にレイアウトすることができ、台座に対して各商品が初期位置決定されたところから位置ズレせず、台座の材料の選択範囲が広い粘着層を有する商品を提供することを課題とする。
【００１２】
【課題を解決するための手段】
（請求項１記載の発明）
この発明の粘着層を有する商品は、シート状の台座上に、第１粘着層、剥離シート、第２粘着層、商品の順序で積層一体化された積層体を、前記第１粘着層を介して粘着して成るものであって、前記商品と台座とは、第１粘着層と剥離シート間、又は剥離シートと第２粘着層間のみで取り外し可能となっている。
【００１３】
この発明の粘着層を有する商品は以下の機能を有する。
【００１４】
シート状の台座上に、第１粘着層、剥離シート、第２粘着層、商品の順序で積層一体化された積層体を、前記第１粘着層を介して粘着して成るものであるから、商品の台座への初期位置決定時において、商品を台座上でデザイン性に富んだ様々な配置にレイアウトすることができ、また、台紙に対して各商品が初期位置決定されたところから位置ズレしない。
【００１５】
また、商品と台座とは、第１粘着層と剥離シート間、又は剥離シートと第２粘着層間のみで取り外し可能となっていればよいから、第２粘着層が粘着する台座の材料の選択範囲が広いものとなる。
【００１６】
（請求項２記載の発明）
この発明の粘着層を有する商品は、上記請求項１記載の発明に関し、第１粘着層の粘着力は第２粘着層のそれよりも強く設定してある。
【００１７】
この発明の粘着層を有する商品は、上記請求項１記載の発明を有し、更に以下の機能を有する。
【００１８】
第１粘着層の粘着力は第２粘着層のそれよりも強く設定してあるから、シート状の台座を指で掴んだ状態で商品を引っ張ると、商品と第２粘着層とが一体化されたものが台座から外れることになり、商品を第２粘着層を介して被貼着物にそのまま貼着することができる。この場合、剥離シートは捲る採る面倒な作業が容易にできることになり、剥離シールが細かいゴミとなるようなこともない。
【００１９】
（請求項３記載の発明）
この発明の粘着層を有する商品は、上記請求項１記載の発明に関し、第２粘着層の粘着力は第１粘着層のそれよりも強く設定してある。
【００２０】
この発明の粘着層を有する商品は、上記請求項１記載の発明を有し、更に以下の機能を有する。
【００２１】
第２粘着層の粘着力は第１粘着層のそれよりも強く設定してあるから、シート状の台座を指で掴んだ状態で商品を引っ張ると、商品と第２粘着層と剥離シートとが一体化されたものが台座から外れることになり、剥離シートを捲り取れば．第２粘着層を介して商品を被貼着物に貼着することができる。この場合、剥離シートを捲り取る前に、被貼着物上に仮にレイアウトしながら、デザイン性に富む最適なレイアウトを考えることができる。
【００２２】
【発明の実施の形態】
以下、この発明を実施形態として示した図面に従って説明する。
〔実施形態１〕
図１はこの発明の実施形態の粘着層を有する商品Ｓの斜視図、図２は前記粘着層を有する商品Ｓの拡大断面図、図３は前記粘着層を有する商品Ｓの製造工程を示す概念図、図４は商品５を台座１から取り外した状態を示す拡大断面図、図５は第２粘着層４を介してスケートボードＳＢに商品５を貼着した状態を示す斜視図を示している。
【００２３】
（粘着層を有する商品Ａの構成について）
この実施形態の粘着層を有する商品Ａは、図１や図２に示すように、シート状の台座１上に、第１粘着層２、剥離シート３、第２粘着層４、商品５の順序で積層一体化された積層体Ｓを、前記第１粘着層２を介して粘着して成るものであって、前記商品５と台座１とは、剥離シート３と第２粘着層４間のみで取り外し可能となっている。このため、第１粘着層２の粘着力は第２粘着層４のそれよりも強く設定されたものを使用している。
【００２４】
シート状の台座１は、厚紙で構成された台紙  （紙製でなくとも樹脂、金属でもよい）であり、図１に示すように、その上部にフック等に引っ掛けるための孔１０を設けてある。なお、この台座２は特に厚紙に限定されるものではないが、強度等を考慮すると厚紙、薄い樹脂板や金属を使用することが好ましい。
【００２５】
第１粘着層２は、特に材料が限定されるものではないが、層厚は数十μｍ程度に設定したものである。この第１粘着層２は公知の粘着剤により構成される。
【００２６】
剥離シート３は、薄い紙片により構成されており、両面とも第１粘着層２及び第２粘着層４が剥離しやすいように処理してあるものが使用されている。
【００２７】
第１粘着層４は、特に材料が限定されるものではないが、層厚は数十μｍ程度に設定したものである。この第２粘着層４についても公知の粘着剤により構成される。
【００２８】
商品５は、図１や図２に示すように、スノーボードの滑り止めパッドとしている。
【００２９】
（粘着層を有する商品Ａの製造方法について）
以下に、この粘着層を有する商品Ａの製造方法を図３に基づいて説明する。
「第１工程」
図３に示すように、第１剥離シート６上に、第１粘着層２、剥離シート３、第２粘着層４、商品５、第２剥離シート７の順序で積層一体化し、シート状の積層物Ｓ１を製造する。
「第２工程」
積層部Ｓ１を商品５の底面形状に合わせて、図３の二点鎖線に示すように、型抜きし、積層物Ｓ２を作る。
「第３工程」
積層物Ｓ２の最上部に位置する第２剥離シート７を捲り取る。
「第４工程」
第２粘着層４の上面に商品５を粘着させ、第１剥離シート６を捲り取り、積層体Ｓを作る。
「第５工程」
積層体Ｓの最下部に位置する第１粘着層２により、積層体Ｓをシート状の台座１に粘着させる。これにより、粘着層を有する商品Ａは完成する。
【００３０】
上記したように、粘着層を有する商品Ａは比較的簡単に低コストで製造することができる。
【００３１】
（この粘着層を有する商品Ａの優れた機能について）
上述した如く、この粘着層を有する商品Ａは、図１や図２に示すように、シート状の台座１上に、第１粘着層２、剥離シート３、第２粘着層４、商品５の順序で積層一体化された積層体Ｓを、前記第１粘着層２を介して粘着して成るものである。
【００３２】
したがって、商品５を台座１へ粘着させる初期位置決定時において、商品５を台座１上でデザイン性に富んだ様々な配置（数字、文字、マークその他）にレイアウトすることができ、また、台座１がどのような姿勢であっても、第１粘着層２によって台座１に対して各商品５が初期位置決定された場所から位置ズレしない。また、商品５と台座１とは、剥離シート３と第２粘着層４間のみで取り外し可能となっていればよい（言い換えれば、第１粘着層２と台座１とは分離されなければよいのである）から、台座１の材料の選択範囲が広いものとなる。
【００３３】
他方、上記した第１粘着層２の粘着力は第２粘着層４のそれよりも強く設定してある。
【００３４】
したがって、シート状の台座１を指で掴んだ状態で商品５を引っ張ると、図４に示すように、商品５と第２粘着層４とが一体化されたものが台座１から外れることになり、図５に示すように、商品５である滑り止めパッドを第２粘着層４を介してスケートボードＳＢにそのまま貼着することができる。この場合、剥離シートは捲る採る面倒な作業が容易にできることになり、剥離シールが細かいゴミとなるようなこともない。
【００３５】
〔実施形態２〕
この実施形態２の粘着層を有する商品Ｓは上記実施形態１のものと基本的には同じ構成であるが、実施形態２では第２粘着層４の粘着力は第１粘着層２のそれよりも強く設定されたものを使用している点が、実施形態１と相違している。
【００３６】
したがって、シート状の台座１を指で掴んだ状態で商品５を引っ張ると、図６に示すように、商品５と第２粘着層４と剥離シート３とが一体化されたものが台座１から外れることになり、剥離シート３を捲り取れば．第２粘着層４を介して商品５である滑り止めパッドをスケートボードＳＢに貼着することができる。この場合、剥離シート３を捲り取る前に、スケートボードＳＢ上に仮にレイアウトしながら、デザイン性に富む最適なレイアウトを考えることができる。
【００３７】
〔その他〕
図７に示すものは、商品５をフックとしたものを壁面に貼着した例であり、図８に示すものは、商品５を家具滑りとしたものを家具に貼着した例である。
【００３８】
【発明の効果】
この発明は上記のような構成であるから次の効果を有する。
【００３９】
発明の実施の形態の欄に記載されている内容から、商品の台座への初期位置決定時において、商品を台座上でデザイン性に富んだ様々な配置にレイアウトすることができ、台座に対して各商品が初期位置決定されたところから位置ズレせず、台座の材料の選択範囲が広い粘着層を有する商品を提供できた。
【図面の簡単な説明】
【図１】この発明の実施形態１の粘着層を有する商品の斜視図。
【図２】前記粘着層を有する商品の拡大断面図。
【図３】前記粘着層を有する商品の製造工程を示す概念図。
【図４】前記商品を台座から取り外した状態を示す拡大断面図。
【図５】第２粘着層を介してスケートボードに商品である滑り止めパッドを貼着した状態を示す斜視図。
【図６】この発明の実施形態２の粘着層を有する商品の斜視図。
【図７】前記商品をフックとしたものを壁面に貼着した例の断面図。
【図８】前記商品を家具滑りとしたものを家具に貼着した例の正面図。
【符号の説明】
Ａ    粘着層を有する商品
Ｓ    積層体
１    台座
２    第１粘着層
３    剥離シート
４    第２粘着層
５    商品
【図１】
2005076647.tif 000003
【図２】
2005076647.tif 000004
【図３】
2005076647.tif 000005
【図４】
2005076647.tif 000006
【図５】
2005076647.tif 000007
【図６】
2005076647.tif 000008
【図７】
2005076647.tif 000009
【図８】
2005076647.tif 000010